【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
左眼用映像並びに右眼用映像を表示する表示部と、
座標入力機能を含み、ユーザーが指示操作するユーザー操作部と、
前記ユーザー操作部に対して座標入力された位置情報に基づいて、前記表示部に表示する映像を制御する表示制御部と、
を具備するヘッド・マウント・ディスプレイ。
【請求項２】
前記表示制御部は、前記ユーザー操作部に対して座標入力された位置情報に基づいて、前記表示部に表示する映像に重畳するＯＳＤ画面を制御する、
請求項１に記載のヘッド・マウント・ディスプレイ。
【請求項３】
前記ユーザー操作部は、タッチ・センサー付きの複数のスイッチを含み、
前記表示制御部は、ユーザーが前記複数のスイッチのいずれかに触れたことに応答して、前記複数のスイッチの配列を模したＯＳＤ画面を表示させる、
請求項１又は２のいずれかに記載のヘッド・マウント・ディスプレイ。
【請求項４】
前記表示制御部は、ユーザーが触れたスイッチに対応するメニュー・ボタンを強調表示させる、
請求項３に記載のヘッド・マウント・ディスプレイ。
【請求項５】
前記ユーザー操作部は、タッチ・センサーを含み、
前記表示制御部は、ユーザーが前記タッチ・センサーに触れたことに応答して、複数のメニュー・ボタンからなるＯＳＤ画面を表示させる、
請求項１又は２のいずれかに記載のヘッド・マウント・ディスプレイ。
【請求項６】
前記表示制御部は、ユーザーが前記タッチ・センサー上で触れた位置に対応するメニュー・ボタンを強調表示させる、
請求項５に記載のヘッド・マウント・ディスプレイ。
【請求項７】
前記表示制御部は、ユーザーが前記タッチ・センサー上で触れる位置を移動させたことに対応して、強調表示するメニュー・ボタンを変更する、
請求項６に記載のヘッド・マウント・ディスプレイ。
【請求項８】
前記ユーザー操作部は、タッチ・センサーを含み、
前記表示制御部は、
ユーザーが前記タッチ・センサーに触れたことに応答して、複数のメニュー・ボタンを第１の方向に配列するとともに、ユーザーが前記タッチ・センサー上で触れた位置に対応するメニュー・ボタンを強調表示したＯＳＤ画面を前記表示部に表示させ、
ユーザーが前記タッチ・センサー上で触れる位置を前記第１の方向とは異なる第２の方向に移動させたことに応答して、前記強調表示されたメニュー・ボタンの選択を確定し、
選択が確定されたメニュー・ボタンに対応した当該機器の制御を実行する制御部をさらに備える、
請求項１乃至７のいずれかに記載のヘッド・マウント・ディスプレイ。
【請求項９】
左眼用映像並びに右眼用映像を処理する映像信号処理ステップと、
座標入力機能を含んだユーザー操作部に対するユーザーの操作を入力するユーザー入力ステップと、
前記ユーザー入力ステップにおいて座標入力された位置情報に基づいて、左眼用映像並びに右眼用映像の表示を制御する表示制御ステップと、
を有するヘッド・マウント・ディスプレイの表示制御方法。
【手続補正２】
【補正対象書類名】明細書
【補正対象項目名】００３６
【補正方法】変更
【補正の内容】
【００３６】
制御部２０３は、ＵＩ操作部２０１を介したユーザーの操作に応じて、ヘッド・マウント・ディスプレイ１０内の動作を制御する。具体的には、制御部２０３は、映像制御部２０４に対し映像信号の処理を指示し、ＯＳＤ制御部２０５にＯＳＤ画面の描画を指示し、その他のさまざまな機器内動作をＭＩＳＣ制御部２０６に指示する。
【手続補正３】
【補正対象書類名】明細書
【補正対象項目名】００４２
【補正方法】変更
【補正の内容】
【００４２】
図３には、ヘッド・マウント・ディスプレイ１０の外観の構成例を示している。但し、図３Ａは左斜め前方から俯瞰した斜視図であり、図３Ｂは、大まかに分解した様子を示した図である。図３Ｂに示すように、ヘッド・マウント・ディスプレイ１０は、図２に示した主要部品のうち、表示系統を含む大部分の部品を含んだディスプレイ・ユニット部３０２と、ディスプレイ・ユニット部３０２を覆う外筐３０１と、外筐３０１の上面から突設した額当て部３０４と、上バンド３０５Ａ及び３０５Ｂからなるヘッド・バンド３０５と、左右のヘッドフォンを収容するヘッドフォン部３０３Ｌ、３０３Ｒからなる。ディスプレイ・ユニット部３０２内には、左右の表示パネル２１１Ｌ、２１１Ｒや、回路基板が収容される。
【手続補正４】
【補正対象書類名】明細書
【補正対象項目名】００４５
【補正方法】変更
【補正の内容】
【００４５】
本実施形態に係るヘッド・マウント・ディスプレイ１０によれば、ＵＩ操作部２０１が、タッチ・センサーなどの座標入力機能を有している。そして、ＯＳＤ制御部２０５は、タッチ・センサーに対して座標入力された位置情報に基づいて、左眼用映像並びに右眼用映像に重畳するＯＳＤ画面を制御する。これによって、ヘッド・マウント・ディスプレイ１０を装着して目隠し状態になったユーザーであっても、ＯＳＤ画面を介して正しくメニュー選択操作を行なうことができる。
【手続補正５】
【補正対象書類名】明細書
【補正対象項目名】００４６
【補正方法】変更
【補正の内容】
【００４６】
ＵＩ操作部２０１は、座標入力機能として、タッチ・センサー付きの複数のスイッチを備えている。この場合、ＯＳＤ制御部２０５は、複数のスイッチのいずれかに触れたことに応答して、複数のスイッチの配列を模したＯＳＤ画面を映像に重畳して表示する。
【手続補正６】
【補正対象書類名】明細書
【補正対象項目名】００５３
【補正方法】変更
【補正の内容】
【００５３】
この場合、ＯＳＤ制御部２０５は、タッチ・センサーのいずれかの場所が指先で触れられたことに応答して、図６に示すように、複数のメニュー・ボタンを水平方向に配列したＯＳＤ画面を映像に重畳して表示する。このとき、タッチ・センサー上でユーザーが触れている水平位置に対応するメニュー・ボタンが、ＯＳＤ画面上ではハイライト表示される。
【手続補正７】
【補正対象書類名】明細書
【補正対象項目名】００５８
【補正方法】変更
【補正の内容】
【００５８】
なお、本明細書の開示の技術は、以下のような構成をとることも可能である。
（１）左眼用映像並びに右眼用映像を表示する表示部と、座標入力機能を含み、ユーザーが指示操作するユーザー操作部と、前記ユーザー操作部に対して座標入力された位置情報に基づいて、前記表示部に表示する映像を制御する表示制御部と、を具備するヘッド・マウント・ディスプレイ。
（２）前記表示制御部は、前記ユーザー操作部に対して座標入力された位置情報に基づいて、前記表示部に表示する映像に重畳するＯＳＤ画面を制御する、上記（１）に記載のヘッド・マウント・ディスプレイ。
（３）前記ユーザー操作部は、タッチ・センサー付きの複数のスイッチを含み、前記表示制御部は、ユーザーが前記複数のスイッチのいずれかに触れたことに応答して、前記複数のスイッチの配列を模したＯＳＤ画面を表示させる、上記（１）に記載のヘッド・マウント・ディスプレイ。
（４）前記表示制御部は、ユーザーが触れたスイッチに対応するメニュー・ボタンを強調表示させる、上記（３）に記載のヘッド・マウント・ディスプレイ。
（５）前記ユーザー操作部は、タッチ・センサーを含み、前記表示制御部は、ユーザーが前記タッチ・センサーに触れたことに応答して、複数のメニュー・ボタンからなるＯＳＤ画面を表示させる、上記（１）に記載のヘッド・マウント・ディスプレイ。
（６）前記表示制御部は、ユーザーが前記タッチ・センサー上で触れた位置に対応するメニュー・ボタンを強調表示させる、上記（５）に記載のヘッド・マウント・ディスプレイ。
（７）前記表示制御部は、ユーザーが前記タッチ・センサー上で触れる位置を移動させたことに対応して、強調表示するメニュー・ボタンを変更する、上記（６）に記載のヘッド・マウント・ディスプレイ。
（８）前記ユーザー操作部は、タッチ・センサーを含み、前記表示制御部は、ユーザーが前記タッチ・センサーに触れたことに応答して、複数のメニュー・ボタンを第１の方向に配列するとともに、ユーザーが前記タッチ・センサー上で触れた位置に対応するメニュー・ボタンを強調表示したＯＳＤ画面を前記表示部に表示させ、ユーザーが前記タッチ・センサー上で触れる位置を前記第１の方向とは異なる第２の方向に移動させたことに応答して、前記強調表示されたメニュー・ボタンの選択を確定し、選択が確定されたメニュー・ボタンに対応した当該機器の制御を実行する制御部をさらに備える、上記（１）に記載のヘッド・マウント・ディスプレイ。
（９）左眼用映像並びに右眼用映像を処理する映像信号処理ステップと、座標入力機能を含んだユーザー操作部に対するユーザーの操作を入力するユーザー入力ステップと、前記ユーザー入力ステップにおいて座標入力された位置情報に基づいて、左眼用映像並びに右眼用映像の表示を制御する表示制御ステップと、を有するヘッド・マウント・ディスプレイの表示制御方法。
【手続補正８】
【補正対象書類名】明細書
【補正対象項目名】００６２
【補正方法】変更
【補正の内容】
【００６２】
１０…ヘッド・マウント・ディスプレイ
２０…ブルーレイ・ディスク再生装置
３０…ハイビジョン・ディスプレイ
４０…フロント・エンド・ボックス
２０１…ＵＩ操作部
２０２…映像信号入力部
２０３…制御部
２０４…映像制御部
２０５…ＯＳＤ制御部
２０６…ＭＩＳＣ制御部
２０７…ビデオ・バッファー
２０８…ＯＳＤバッファー
２０９…画像合成部
２１０…表示制御部
２１１Ｌ…左眼用表示パネル、２１１Ｒ…右眼用表示パネル
３０１…外筐
３０２…ディスプレイ・ユニット部
３０３Ｌ、３０３Ｒ…ヘッドフォン部
３０４…額当て部
３０５…ヘッド・バンド、３０５Ａ…上バンド、３０５Ｂ…下バンド